(57)【要約】【課題】送信先を指定する等の複雑な操作が必要なく、データの送信先を正確に特定して送信する通信機器を提供できる。【解決手段】ユーザの人体を介して通信を行う通信機器であって、人体を介して当該通信機器の他の通信機器と通信を行う人体通信部と、人体が当該通信機器の人体通信部及び他の通信機器の人体通信部に触れた場合に、人体通信部を用いて他の通信機器の機器識別情報を他の通信機器から取得する機器識別情報取得部と、人体を介さずに他の通信機器と通信を行うデータ通信部と、データ通信部を用いて機器識別情報取得部が取得した機器識別情報で識別される他の通信機器にデータを送信するデータ送信部とを備える。【選択図】図２
2004260800.tif 000002
【特許請求の範囲】
【請求項１】
ユーザの人体を介して通信を行う通信機器であって、
前記人体を介して当該通信機器の他の通信機器と通信を行う人体通信部と、
前記人体が当該通信機器の前記人体通信部及び前記他の通信機器の人体通信部に触れた場合に、前記人体通信部を用いて前記他の通信機器の機器識別情報を前記他の通信機器から取得する機器識別情報取得部と、
前記人体を介さずに前記他の通信機器と通信を行うデータ通信部と、
前記データ通信部を用いて前記機器識別情報取得部が取得した前記機器識別情報で識別される前記他の通信機器にデータを送信するデータ送信部と
を備えることを特徴とする通信機器。
【請求項２】
画像を表示する表示部をさらに備え、
前記表示部が前記画像を表示しているときに、前記機器識別情報取得部が前記機器識別情報を取得した場合に、前記データ送信部は、前記表示部が表示している前記画像を前記他の通信機器に送信することを特徴とする請求項１に記載の通信機器。
【請求項３】
前記他の通信機器を通信可能な状態にすべく、前記人体通信部を用いて当該通信機器の機器識別情報を前記他の通信機器に提供する機器識別情報提供部をさらに備えることを特徴とする請求項１に記載の通信機器。
【請求項４】
前記データ通信部による通信は、前記人体通信部による通信よりエラーレートが小さいことを特徴とする請求項１に記載の通信機器。
【請求項５】
前記データ通信部による通信は、前記人体通信部による通信より通信速度が速いことを特徴とする請求項１に記載の通信機器。
【請求項６】
前記他の通信機器は、前記人体を介して通信を行う人体通信部を備える印刷装置であり、
前記機器識別情報取得部は、前記人体が当該通信機器の前記人体通信部及び前記印刷装置の前記人体通信部に触れた場合に、前記人体通信部を用いて前記印刷装置の機器識別情報を前記印刷装置から取得し、
前記データ送信部は、当該通信機器が格納する画像データを印刷させるべく、前記データ通信部を用いて前記機器識別情報取得部が取得した前記機器識別情報で識別される前記印刷装置に前記画像データを送信することを特徴とする請求項１に記載の通信機器。
【請求項７】
前記機器識別情報取得部は、前記人体が当該通信機器の前記人体通信部及び前記印刷装置の前記人体通信部に所定の時間間隔で複数回触れた場合に、前記人体通信部を用いて前記印刷装置の機器識別情報を前記印刷装置から複数回取得し、
前記データ送信部は、当該通信機器が格納する画像データを複数枚印刷させるべく、前記データ通信部を用いて前記機器識別情報取得部が取得した前記機器識別情報で識別される前記印刷装置に、前記画像データとともに前記画像データの付帯情報として前記機器識別情報取得部が前記機器識別情報を取得した回数に対応する印刷枚数を送信することを特徴とする請求項６に記載の通信機器。
【請求項８】
前記他の通信機器は、前記人体を介して通信を行う人体通信部を備える記録メディアであり、
前記機器識別情報取得部は、前記人体が当該通信機器の前記人体通信部及び前記記録メディアの前記人体通信部に触れた場合に、前記人体通信部を用いて前記記録メディアの機器識別情報を前記記録メディアから取得し、
前記データ送信部は、前記データ通信部を介して当該通信機器と前記記録メディアが挿入された記録装置とが接続された場合に、当該通信機器が格納するデータを前記記録メディアに格納させるべく、前記データ通信部を用いて前記記録装置に画像データを送信することを特徴とする請求項１に記載の通信機器。
【発明の詳細な説明】
【技術分野】
【０００１】
本発明は、通信機器に関する。特に本発明は、ユーザの人体を介して通信を行う通信機器に関する。
【背景技術】
【０００２】
近年、携帯電話のデータ伝送能力の大幅な向上に伴い、携帯電話を音声通話用の端末機として使用することに止まらず、広くデータ通信用の端末機として利用することが図られている。例えば、携帯電話にカメラを搭載させ、カメラで撮影した写真画像をパソコン等の通信機器に送信することができるものが開発されている。
【０００３】
また、近年、人の手や腕を電線のように使い、手先で触れる場所と腕や衣服に取り付けた小型チップとの間で情報のやりとりを行う、いわゆる人体通信が開発されている。この人体通信は、入退室管理システム、オートロックドア、コンピュータログインシステムにおいて実証実験が進められている（例えば、非特許文献１参照。）。
【非特許文献１】キーマンズネット、システムネットワークＩＴトレンド用語辞典、人体通信−Ｐａｇｅ．１、インターネット＜ＵＲＬ：http://www.keyman.or.jp/search/30000188_1.html＞
【発明の開示】
【発明が解決しようとする課題】
【０００４】
従来の携帯電話においてカメラで撮影した写真画像をパソコンに送信する場合には、携帯電話とパソコンとをケーブルによって直接接続したり、写真画像を電子メールに添付して送信する等の複雑な操作が必要であり、簡易な操作で写真画像を提供することができなかった。
【０００５】
そこで本発明は、上記の課題を解決することができる通信機器を提供することを目的とする。この目的は特許請求の範囲における独立項に記載の特徴の組み合わせにより達成される。また従属項は本発明の更なる有利な具体例を規定する。
【課題を解決するための手段】
【０００６】
本発明の第１の形態によると、ユーザの人体を介して通信を行う通信機器であって、前記人体を介して当該通信機器の他の通信機器と通信を行う人体通信部と、前記人体が当該通信機器の前記人体通信部及び前記他の通信機器の人体通信部に触れた場合に、前記人体通信部を用いて前記他の通信機器の機器識別情報を前記他の通信機器から取得する機器識別情報取得部と、前記人体を介さずに前記他の通信機器と通信を行うデータ通信部と、前記データ通信部を用いて前記機器識別情報取得部が取得した前記機器識別情報で識別される前記他の通信機器にデータを送信するデータ送信部とを備える。
【０００７】
画像を表示する表示部をさらに備え、前記表示部が前記画像を表示しているときに、前記機器識別情報取得部が前記機器識別情報を取得した場合に、前記データ送信部は、前記表示部が表示している前記画像を前記他の通信機器に送信してもよい。
【０００８】
前記他の通信機器を通信可能な状態にすべく、前記人体通信部を用いて当該通信機器の機器識別情報を前記他の通信機器に提供する機器識別情報提供部をさらに備えてもよい。
【０００９】
前記データ通信部による通信は、前記人体通信部による通信よりエラーレートが小さくてもよい。また、前記データ通信部による通信は、前記人体通信部による通信より通信速度が速くてもよい。
【００１０】
前記他の通信機器は、前記人体を介して通信を行う人体通信部を備える印刷装置であり、前記機器識別情報取得部は、前記人体が当該通信機器の前記人体通信部及び前記印刷装置の前記人体通信部に触れた場合に、前記人体通信部を用いて前記印刷装置の機器識別情報を前記印刷装置から取得し、前記データ送信部は、当該通信機器が格納する画像データを印刷させるべく、前記データ通信部を用いて前記機器識別情報取得部が取得した前記機器識別情報で識別される前記印刷装置に前記画像データを送信してもよい。
【００１１】
前記機器識別情報取得部は、前記人体が当該通信機器の前記人体通信部及び前記印刷装置の前記人体通信部に所定の時間間隔で複数回触れた場合に、前記人体通信部を用いて前記印刷装置の機器識別情報を前記印刷装置から複数回取得し、前記データ送信部は、当該通信機器が格納する画像データを複数枚印刷させるべく、前記データ通信部を用いて前記機器識別情報取得部が取得した前記機器識別情報で識別される前記印刷装置に、前記画像データとともに前記画像データの付帯情報として前記機器識別情報取得部が前記機器識別情報を取得した回数に対応する印刷枚数を送信してもよい。
【００１２】
前記他の通信機器は、前記人体を介して通信を行う人体通信部を備える記録メディアであり、前記機器識別情報取得部は、前記人体が当該通信機器の前記人体通信部及び前記記録メディアの前記人体通信部に触れた場合に、前記人体通信部を用いて前記記録メディアの機器識別情報を前記記録メディアから取得し、前記データ送信部は、前記データ通信部を介して当該通信機器と前記記録メディアが挿入された記録装置とが接続された場合に、当該通信機器が格納するデータを前記記録メディアに格納させるべく、前記データ通信部を用いて前記記録装置に画像データを送信してもよい。
【００１３】
なお上記の発明の概要は、本発明の必要な特徴の全てを列挙したものではなく、これらの特徴群のサブコンビネーションもまた発明となりうる。
【発明の効果】
【００１４】
本発明によれば、送信先を指定する等の複雑な操作が必要なく、データの送信先を正確に特定して送信する通信機器を提供できる。
【発明を実施するための最良の形態】
【００１５】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１６】
図１は、本発明の第１実施形態に係る通信システム１００の構成の一例を示す。通信システム１００は、人体を介した通信及び無線通信が可能な移動端末１０２及び１０４と、画像を表示する表示装置１０６とを備える。移動端末及び表示装置は、本発明の通信機器の一例である。移動端末１０２は、例えば携帯電話、ＰＤＡ、ノート型パソコン等であり、表示装置１０６は、例えばテレビ、電子フォトスタンド等である。
【００１７】
移動端末１０２及び表示装置１０６は、ユーザ１０８の人体を介さずに通信を行うために必要な機器識別情報を、移動端末１０２が備える人体通信部２００と表示装置１０６が備える人体通信部１１０との間でユーザ１０８の人体を介して互いに受け渡す。そして、ユーザ１０８の人体を介して取得した機器識別情報を用いて、ユーザ１０８の人体を介さずに行う通信を確立してデータの送受信を行う。例えば、赤外線、ブルートゥース、無線ＬＡＮ、有線ＬＡＮによる通信、又はインターネットを介した通信を確立してデータの送受信を行う。
【００１８】
ユーザ１０８は、例えば移動端末１０２を一方の手で持った状態で、他方の手を表示装置１０６に触れる。そうすると、表示装置１０６は、ユーザ１０８の人体を介して、表示装置１０６の機器識別情報を移動端末１０２に送信する。そして、移動端末１０２は、ユーザ１０８の人体以外の通信手段を用いて、受信した機器識別情報で識別される表示装置１０６に対して、ユーザ１０８によって指定されたデータを送信する。例えば、移動端末１０２が表示している画像をユーザ１０８によって指定された画像として表示装置１０６に送信してもよい。そして、表示装置１０６は、移動端末１０２から画像を受信すると、受信した画像を表示することによりユーザ１０８に転送が完了したことを通知してもよい。
【００１９】
移動端末１０２の一例である携帯電話が取得した画像を大きい表示画面で見たい場合等に、表示装置１０６の一例であるテレビに簡単に送信して表示させることができる。また、携帯電話で通話中に通話相手から画像を取得した場合に、取得した画像を簡単にテレビに転送することができるので、通話中においても表示画面が大きいテレビによって画像を見ることができる。また、ユーザ１０８が触れることによってデータを受信すべき通信機器を選択するので、複数の通信機器が混在する環境であっても正確に通信相手を特定することができる。
【００２０】
図２は、第１実施形態に係る移動端末１０２の構成の一例を示す。移動端末１０２は、人体を介して移動端末１０２の他の通信機器と通信を行う人体通信部２００と、人体通信部２００を用いて他の通信機器の機器識別情報を取得する機器識別情報取得部２０２と、人体通信部２００を用いて移動端末１０２の機器識別情報を他の通信機器に提供する機器識別情報提供部２０４と、人体を介さずに他の通信機器と通信を行うデータ通信部２０６と、データ通信部２０６を用いて他の通信機器からデータを受信するデータ受信部２０８と、データ通信部２０８を用いて他の通信機器にデータを送信するデータ送信部２１０と、画像等のデータを格納するデータ格納部２１２と、データ格納部２１２が格納するデータに基づく画像を表示する表示部２１４とを備える。なお、移動端末１０４及び表示装置１０６は、移動端末１０２と同一の構成要素を有し、各構成要素は移動端末１０２の場合と同様に動作してよい。
【００２１】
表示部２１４は、ユーザ１０８の指示に基づいて、データ格納部２１２が格納するデータに基づく画像を表示する。そして、ユーザ１０８は、表示部２１４が表示している画像を送信したい通信機器、例えば表示装置１０６を選択し、移動端末１０２の人体通信部２００と、表示装置１０６の人体通信部１１０とに触れる。ユーザ１０８の人体が移動端末１０２及び表示装置１０６に触れた場合に、機器識別情報取得部２０２は、人体通信部２００を用い、ユーザ１０８の人体を介して表示装置１０６から表示装置１０６の機器識別情報を取得する。このとき、機器識別情報取得部２０２は、人体通信部２００を用いて表示装置１０６にユーザＩＤ及びパスワード等を含む認証情報を送信してもよい。そして、表示装置１０６は、移動端末１０２から受信した認証情報の認証が成立した場合にのみ、表示装置１０６の機器識別情報を移動端末１０２に送信してもよい。
【００２２】
なお、人体通信部２００は、変調器、復調器、及び人体との接触部を有し、機器識別情報を示すデジタル信号を、数百マイクロアンペア程度の微弱電流を数十ｋＨｚ〜数百ｋＨｚに変調して送信する。これにより、数十ｋｂｐｓでの通信が可能であり、例えば１２８ビットの機器識別情報を数十ミリ秒で送信する。また、人体通信部２００の通信状態は、人体と接触部との接触状態に左右されるので、数回から数十回重複して機器識別情報を送信することが望ましい。なお、人体通信部２００は、他の人体通信部が常時発信する機器識別情報等の信号を能動的に受信してもよく、他の人体通信部に接続されたことを検知して機器識別情報等の信号を要求する信号を送信することにより、他の人体通信部が発信する機器識別情報等の信号を能動的に受信してもよい。
【００２３】
そして、データ送信部２１０は、表示装置１０６の機器識別情報に基づいて、データ通信部２０６を介して表示装置１０６との通信を確立する。また、移動端末１０２と表示装置１０６との通信を確立するために表示装置１０６が移動端末１０２の機器識別情報を必要とする場合には、機器識別情報提供部２０４は、移動端末１０２と表示装置１０６とを通信可能な状態にすべく、人体通信部２００を用いて移動端末１０２の機器識別情報を表示装置１０６に提供してもよい。
【００２４】
移動端末１０２と表示装置１０６との通信が確立した場合、表示部２１４は、表示している画像を送信するか否かをユーザ１０８に選択させる画面（例えば、「送信しますか？」というボタン）を表示する。そして、ユーザ１０８が送信することを選択した場合、データ送信部２１０は、機器識別情報取得部２０２が取得した機器識別情報で識別される表示装置１０６に、表示部２１４が表示している画像を送信する。
【００２５】
なお、データ通信部２０６による通信は、人体通信部２００による通信よりエラーレートが小さいことが好ましい。また、データ通信部２０６による通信は、人体通信部２００による通信より通信速度が速いことが好ましい。
【００２６】
本実施形態の移動端末１０２によれば、ユーザ１０８が画像を提供したい通信機器を触れるという直感的な操作によって画像を送信することができるので、送信先を指定する等の複雑な操作が必要なく、画像を送信する際の操作性を向上することができる。また、表示部２１４が画像を表示しているときにユーザ１０８が画像を提供したい通信機器を触れると、表示部２１４が表示している画像を送信するので、送信すべき画像を選択等のユーザによる複雑な操作が必要なく、簡易な操作によって画像を送信することができる。
【００２７】
図３は、本発明の第２実施形態に係る通信システム３００の一例を示す。通信システム３００は、ルータ３０２を介してインターネット３０４に接続された固定端末３０６及び３０８と、電話回線を介してインターネット３０４に接続された移動端末３１０とを備える。固定端末３０６及び３０８は、同一のＬＡＮ内に配置され、ＬＡＮを介して互いに通信を行う。また、固定端末３０６及び３０８は、インターネット３０４を介して移動端末３１０と通信を行う。固定端末３０６及び３０８並びに移動端末３１０は、人体を介した通信が可能であり、ユーザ３１２の人体を介して機器識別情報を互いに受け渡す。固定端末は、本発明の通信機器の一例である。固定端末３０６及び３０８は、例えばデスクトップ型パソコン、テレビ、電子フォトスタンド等であり、移動端末３１０は、携帯電話、ＰＤＡ、ノート型パソコン等である。なお、固定端末３０６及び３０８並びに移動端末３１０は、図２に示した移動端末１０２と同一の構成要素を有し、各構成要素は移動端末１０２の場合と同様に動作してよい。
【００２８】
ユーザ３１２が、固定端末３０６の人体通信部３１４及び固定端末３０８の人体通信部３１６を触れると、固定端末３０８は、ユーザ３１２の人体を介して、固定端末３０８の機器識別情報であるＩＰアドレス又はＭＡＣアドレスを固定端末３０６に送信する。そして、固定端末３０６は、ユーザ３１２の人体を介して固定端末３０８から受信したＩＰアドレス又はＭＡＣアドレスで識別される固定端末３０８に対して、ＬＡＮを介してユーザ３１２によって指定されたデータを送信する。
【００２９】
また、ユーザ３１２が、固定端末３０６の人体通信部３１４及び移動端末３１０の人体通信部３１８を触れると、移動端末３１０は、ユーザ３１２の人体を介して、移動端末３１０の機器識別情報であるメールアドレスを固定端末３０６に送信する。そして、固定端末３０６は、ユーザ３１２の人体を介して移動端末３１０から受信したメールアドレスで識別される移動端末３１０に対して、インターネット３０４を介してユーザ３１２によって指定されたデータを送信する。
【００３０】
以上のように、ユーザ３１２の人体によって送信相手機器の機器識別情報を取得することにより、簡易かつ正確に送信相手を特定でき、またユーザ３１２の人体以外の通信手段によりデータを送信することにより、高速かつ正確に所望のデータを送信することができる。
【００３１】
図４は、本発明の第３実施形態に係る通信システム４００の構成の一例を示す。通信システム４００は、腕時計４０６又は携帯電話４１０、及びデジタルカメラ４１４を備える。腕時計、携帯電話、及びデジタルカメラは、本発明の通信機器の一例である。なお、以下に説明する部分を除き、デジタルカメラ４１４は、図２に示した移動端末１０２と同一の機能を有してよい。
【００３２】
腕時計４０６は、電子メールの送受信機能を備えており、ユーザ４０８のメールアドレスを格納している。また、腕時計４０６は、人体を介して通信を行う人体通信部を備えており、ユーザ４０８に装着されることにより、人体通信部を用いてユーザ４０８のメールドレスを送信する。また、携帯電話４１０は、電子メールの送受信機能を備えており、ユーザ４０８のメールアドレスを格納している。また、携帯電話４１０は、人体を介して通信を行う人体通信部４１２を備えており、ユーザ４０８に所持されることにより、人体通信部４１２を用いてユーザ４０８のメールドレスを送信する。ここでメールアドレスは、本発明の機器識別情報の一例である。また、本発明の機器識別情報は、携帯電話４１０の電話番号であってもよいし、携帯電話４１０がＩＰ電話機能を有する場合には、ＩＰアドレスであってもよい。
【００３３】
以下、ユーザ４０２が所有するデジタルカメラ４１４に格納された画像データを、ユーザ４０８が所有する腕時計４０６又は携帯電話４１０に送信するフローを説明する。まず、ユーザ４０２は、デジタルカメラ４１４において、ユーザ４０８に提供する画像データを選択して表示させる。そして、ユーザ４０２がデジタルカメラ４１４の人体通信部４１６に触れたまま、ユーザ４０２とユーザ４０８とが握手をすること等によって、ユーザ４０８の腕時計４０６の人体通信部又は携帯電話４１０の人体通信部４１２、及びデジタルカメラ４１４の人体通信部４１６が、ユーザ４０２の人体及びユーザ４０８の人体を介して接続される。これにより、デジタルカメラ４１４は、人体通信部４１６を介して腕時計４０６又は携帯電話４１０から、ユーザ４０８のメールアドレスを取得する。そして、デジタルカメラ４１４は、人体通信部４１６を介して取得したメールアドレスを、表示している画像データと対応づけて保存する。その後、デジタルカメラ４１４がデータ通信部４１８によって人体通信以外の通信回線に接続された場合に、データ通信部４１８は、ユーザ４０８のメールアドレスを宛先とするメールに、当該メールアドレスに対応づけて格納される画像データを添付して送信する。データ通信部は、デジタルカメラ４１４をＬＡＮに接続する手段であってもよいし、デジタルカメラ４１４をインターネットに直接接続する手段であってもよい。
【００３４】
なお、腕時計４０６と同様の機能を有する腕時計４０４をユーザ４０２も装着している場合には、デジタルカメラ４１４は、同時に複数のメールアドレスを人体通信部４１６を介して受信することになる。この場合には、デジタルカメラ４１４は、画像データが表示されている状態において、新たに受信したメールアドレスを、表示している画像データと対応づけて保存する。これにより、画像データを提供すべきユーザ４０８と握手したときに、ユーザ４０８のメールアドレスが画像データと対応づけられ、適切にユーザ４０８に画像データを提供することができる。
【００３５】
図５は、本発明の第４実施形態に係る通信システム５００の構成の一例を示す。通信システム５００は、腕時計５０３、携帯電話５０６、デジタルカメラ５１０、及び画像蓄積サーバ５１８を備える。なお、以下に説明する部分を除き、デジタルカメラ５１０は、図２に示した移動端末１０２と同一の機能を有してよい。また、以下に説明する部分を除き、腕時計５０３は、図４に示した腕時計４０６と同一の機能を有してよく、携帯電話５０６は、図４に示した携帯電話４１０と同一の機能を有してよい。
【００３６】
デジタルカメラ５１０は、ユーザ５０２によって撮像された画像データを、インターネット５１６等の通信網を介して、画像蓄積サーバ５１８に送信して格納させる。そして、画像蓄積サーバ５１８は、画像データへのアクセス情報に対応づけて、デジタルカメラ５１０から受信した画像データを格納し、画像データへのアクセス情報をデジタルカメラ５１０に送信する。そして、デジタルカメラ５１０は、画像データと、当該画像データへのアクセス情報とを対応づけて格納している。ここでアクセス情報とは、例えばＵＲＬである。
【００３７】
以下、ユーザ５０２が所有するデジタルカメラ５１０に格納された画像データへのアクセス情報を、ユーザ５０４が所有する腕時計５０３又は携帯電話５０６に送信することによってユーザ５０４に画像データを供給するフローを説明する。まず、ユーザ５０２は、デジタルカメラ５１０において、ユーザ５０４に提供する画像データを選択して表示させる。そして、ユーザ５０２がデジタルカメラ５１４の人体通信部５１２に触れたまま、ユーザ５０２とユーザ５０４とが握手をすること等によって、ユーザ５０４の腕時計５０３の人体通信部又は携帯電話５０６の人体通信部５０８、及びデジタルカメラ５１０の人体通信部５１２が、ユーザ５０２の人体及びユーザ５０４の人体を介して接続される。これにより、デジタルカメラ５１０は、人体通信部５１２を介して腕時計５０３又は携帯電話５０６から、ユーザ５０４のメールアドレスを取得する。そして、デジタルカメラ５１０は、人体通信部５１２を介して取得したメールアドレスを、表示している画像データへのアクセス情報と対応づけて保存する。その後、デジタルカメラ５１０がデータ通信部５１４によって人体通信以外の通信回線に接続された場合に、データ通信部５１４は、ユーザ５０４のメールアドレスを宛先とするメールに、当該メールアドレスに対応づけて格納される画像データへのアクセス情報を添付して送信する。そして、腕時計５０３又は携帯電話５０６は、デジタルカメラ５１０から受信したアクセス情報に基づいて、インターネット５１６を介して画像蓄積サーバ５１８が格納する画像データにアクセスして、画像データを取得する。
【００３８】
なお、画像蓄積サーバ５１８は、インターネット５１６上に設けられたサーバに限られず、デジタルカメラ５１０が内蔵するメモリであってもよい。即ち、デジタルカメラ５１０は、画像データへのアクセス情報として、デジタルカメラ５１０の識別情報、ディレクトリの識別情報、画像の識別情報等を腕時計５０３又は携帯電話５０６に送信してもよい。そして、腕時計５０３又は携帯電話５０６は、デジタルカメラ５１０から受信したアクセス情報に基づいて、デジタルカメラ５１０が格納する画像データにアクセスして、画像データを取得してもよい。
【００３９】
図６は、本発明の第５実施形態に係る通信システム６００の構成の一例を示す。通信システム６００は、デジタルカメラ６１０及びプリンタ６０６を備える。プリンタは、本発明の印刷装置の一例である。なお、以下に説明する部分を除き、デジタルカメラ６１０は、図２に示した移動端末１０２と同一の機能を有してよい。
【００４０】
プリンタ６０６は、人体を介して通信を行う人体通信部６０８を備えており、ユーザ６０２によって人体通信部６０８が触れられることによって、人体通信部６０８を用いてプリンタ６０６の機器識別情報を送信する。ここで機器識別情報は、例えばプリンタ６０６のＩＰアドレスである。また、デジタルカメラ６１０は、ユーザ６０２によって撮像された画像データを格納しており、ユーザ６０２の指示に基づき、データ通信部６１４を用いてプリンタ６０６に画像データを送信して印刷させる。
【００４１】
以下、ユーザ６０２が所有するデジタルカメラ６１０に格納された画像データを、プリンタ６０６に送信して印刷させるフローを説明する。まず、ユーザ６０２は、デジタルカメラ６１０において、印刷すべき画像データを選択して表示させる。そして、ユーザ６０２の人体がデジタルカメラ６１０の人体通信部６１２及びプリンタ６０６の人体通信部６０８に触れた場合に、デジタルカメラ６１０の機器識別情報取得部は、ユーザ６０２の人体を介し、人体通信部６１２を用いてプリンタ６０６の機器識別情報をプリンタ６０６から取得する。そして、デジタルカメラ６１０は、人体通信部６１２を介して機器識別情報取得部により取得したプリンタ６０６の機器識別情報を、表示している画像データの付帯情報として保存する。その後、デジタルカメラ６１０がデータ通信部６１４によって人体通信以外の通信回線を介してプリンタ６０６に接続された場合に、デジタルカメラ６１０のデータ送信部は、デジタルカメラ６１０がプリンタ６０６の機器識別情報を付帯情報として格納している画像データをプリンタ６０６に印刷させるべく、データ通信部６１４を用いて機器識別情報取得部が取得した機器識別情報で識別されるプリンタ６０６に画像データを送信して印刷させる。
【００４２】
また、デジタルカメラ６１０の機器識別情報取得部は、ユーザ６０２の人体がデジタルカメラ６１０の人体通信部６１２及びプリンタ６０６の人体通信部６０８に所定の時間間隔で複数回触れた場合に、人体通信部６０８を用いてプリンタ６０６の機器識別情報をプリンタ６０６から複数回取得する。例えば、ユーザ６０２が、デジタルカメラ６１０の人体通信部６１２に触れたままプリンタ６０６の人体通信部６０８を所定の時間間隔でノックするように複数回触れる。これにより、デジタルカメラ６１０の機器識別情報取得部は、所定の時間間隔でプリンタ６０６の機器識別情報を複数回取得する。そして、デジタルカメラ６１０は、機器識別情報取得部により取得したプリンタ６０６の機器識別情報とともに、同一の機器識別情報を取得した回数を、表示している画像データの付帯情報として保存する。その後、デジタルカメラ６１０がデータ通信部６１４によって人体通信以外の通信回線を介してプリンタ６０６に接続された場合に、デジタルカメラ６１０のデータ送信部は、デジタルカメラ６１０がプリンタ６０６の機器識別情報を付帯情報として格納している画像データをプリンタ６０６に複数枚印刷させるべく、データ通信部６１４を用いて機器識別情報取得部が取得した機器識別情報で識別されるプリンタ６０６に、画像データとともに画像データの付帯情報として機器識別情報取得部が機器識別情報を取得した回数に対応する印刷枚数を送信して印刷させる。
【００４３】
また、通信システム６００は、プリンタ６０６に代えて、パーソナルコンピュータ６０４及びプリントサービスサーバ６１８を備えてもよい。パーソナルコンピュータ及びプリントサービスサーバは、本発明の印刷装置の一例である。
【００４４】
パーソナルコンピュータ６０４は、インターネット６１６等の通信網を介してプリントサービスサーバ６１８に接続され、プリントサービスサーバ６１８に対して、画像データ及び印刷条件等を提供し、画像データの印刷を注文する。また、パーソナルコンピュータ６０４は、人体を介して通信を行う人体通信部６０３を備えており、ユーザ６０２によって人体通信部６０３が触れられることにより、人体通信部６０８を用いてパーソナルコンピュータ６０４と接続されているプリントサービスサーバ６１８の機器識別情報を送信する。ここで機器識別情報は、例えばプリントサービスサーバ６１８のＵＲＬである。また、プリントサービスサーバ６１８は、パーソナルコンピュータ６０４又はデジタルカメラ６１０を用いて注文された画像データの印刷を請け負う。
【００４５】
以下、ユーザ６０２が所有するデジタルカメラ６１０に格納された画像データを、プリントサービスサーバ６１８に送信して印刷させるフローを説明する。まず、ユーザ６０２は、パーソナルコンピュータ６０４をプリントサービスサーバ６１８に接続させ、例えばウェブブラウザ等によってプリントサービスサーバ６１８のホームページを表示させる。そして、ユーザ６０２は、デジタルカメラ６１０において、印刷すべき画像データを選択して表示させる。そして、ユーザ６０２の人体がデジタルカメラ６１０の人体通信部６１２及びパーソナルコンピュータ６０４の人体通信部６０３に触れた場合に、デジタルカメラ６１０の機器識別情報取得部は、ユーザ６０２の人体を介し、人体通信部６１２を用いてパーソナルコンピュータ６０４が接続されているプリントサービスサーバ６１８の機器識別情報をパーソナルコンピュータ６０４から取得する。そして、デジタルカメラ６１０は、人体通信部６１２を介して機器識別情報取得部により取得したプリントサービスサーバ６１８の機器識別情報を、表示している画像データの付帯情報として保存する。その後、デジタルカメラ６１０がデータ通信部６１４によってインターネット６１６等の通信網を介してプリントサービスサーバ６１８に接続された場合に、デジタルカメラ６１０のデータ送信部は、デジタルカメラ６１０がプリントサービスサーバ６１８の機器識別情報を付帯情報として格納している画像データをプリントサービスサーバ６１８に送信して印刷させる。このとき、デジタルカメラ６１０のデータ送信部は、画像データとともに、プリントサービスサーバ６１８においてユーザ６０２を識別するためのユーザＩＤや、画像データの印刷条件等をプリントサービスサーバ６１８に送信してもよい。
【００４６】
図７は、本発明の第６実施形態に係る通信システム７００の構成の一例を示す。通信システム７００は、パーソナルコンピュータ７０３、画像蓄積サーバ７０５、表示装置７０６、携帯電話７１２、及び携帯電話７１６を備える。なお、以下に説明する部分を除き、パーソナルコンピュータ７０３、表示装置７０６、携帯電話７１２、及び携帯電話７１６は、図２に示した移動端末１０２と同一の機能を有してよい。
【００４７】
パーソナルコンピュータ７０３は、ユーザ７１０によって保存された画像データを、インターネット７０２等の通信網を介して、画像蓄積サーバ７０５に送信して格納する。そして、画像蓄積サーバ７０５は、画像データへのアクセス情報に対応づけて、パーソナルコンピュータ７０３から受信した画像データを格納し、パーソナルコンピュータ７０３に送信する。その後、パーソナルコンピュータ７０３は、画像データへのアクセス情報を用いて画像データにアクセスし、画像データを表示する。また、パーソナルコンピュータ７０３は、人体を介して通信を行う人体通信部７０４を備えており、ユーザ７１０によって人体通信部７０４が触れられることにより、人体通信部７０４を用いてパーソナルコンピュータ７０３が表示している画像データへのアクセス情報を送信する。ここでアクセス情報とは、例えばＵＲＬである。
【００４８】
以下、ユーザ７１０が画像蓄積サーバ７０５に格納している画像データを、ユーザ７２０の表示装置７０６に送信させて表示させるフローを説明する。まず、ユーザ７１０は、パーソナルコンピュータ７０３を画像蓄積サーバ７０５に接続させ、画像データへのアクセス情報に基づき、例えばウェブブラウザ等によって画像蓄積サーバ７０５が格納する画像データを表示させる。そして、ユーザ７１０がパーソナルコンピュータ７０３の人体通信部７０４及び携帯電話７１２の人体通信部７１４に触れた場合に、携帯電話７１２の機器識別情報取得部は、ユーザ７１０の人体を介し、人体通信部７１４を用いてパーソナルコンピュータ７０３が表示している画像データへのアクセス情報をパーソナルコンピュータ７０３から取得する。そして、ユーザ７１０は、携帯電話７１２の電子メール送受機能を用いて、機器識別情報取得部がパーソナルコンピュータ７０３から取得した画像データへのアクセス情報を電子メールに添付して携帯電話７１６に送信する。なお、ユーザ７１０は、パーソナルコンピュータ７０３を画像蓄積サーバ７０５に接続させることなく、複数の画像データへのアクセス情報を表示させてもよい。そして、ユーザ７１０がパーソナルコンピュータ７０３の人体通信部７０４及び携帯電話７１２の人体通信部７１４に触れた場合に、携帯電話７１２の機器識別情報取得部は、パーソナルコンピュータ７０３が表示している複数の画像データへのアクセス情報をパーソナルコンピュータ７０３から取得してもよい。
【００４９】
次に、ユーザ７２０は、携帯電話７１６が携帯電話７１２から受信した画像データへのアクセス情報を携帯電話７１６に表示させる。そして、ユーザ７２０が携帯電話７１６の人体通信部７１８及び表示装置７０６の人体通信部７０８に触れた場合に、表示装置７０６の機器識別情報取得部は、ユーザ７２０の人体を介し、人体通信部７０８を用いて携帯電話７１６が表示している画像データへのアクセス情報を携帯電話７１６から取得する。そして、表示装置７０６は、携帯電話７１６から受信したアクセス情報に基づいて、インターネット７０２を介して画像蓄積サーバ７０５が格納する画像データにアクセスして、画像データを取得して表示する。なお、表示装置７０６が画像蓄積サーバ７０５の画像データにアクセスした場合に、画像蓄積サーバ７０５に対して表示装置７０６の表示画素数等のスペックを提供してもよい。そして、画像蓄積サーバ７０５は、表示装置７０６から提供された表示装置７０６のスペックに基づいて、画像データのサイズを変換して携帯電話７１６に送信してもよい。例えば、表示装置７０６が携帯電話である場合には、画像蓄積サーバ７０５は、画像データのサイズを小さくしたサムネイル画像の画像データを生成して表示装置７０６に送信してもよい。
【００５０】
本実施形態の通信システム７００によれば、ユーザ７１０が、ユーザ７２０の携帯電話７１６のメールアドレスを知っていれば、ユーザ７２０のパーソナルコンピュータ等のメールアドレスを知らなくとも、簡単に、ユーザ７１０が所有する画像をユーザ７２０に閲覧させることができる。
【００５１】
図８は、本発明の第７実施形態に係る通信システム８００の構成の一例を示す。通信システム８００は、印刷媒体８０２、携帯電話８１０、腕時計８１４、表示装置８１６、及び画像蓄積サーバ８２２を備える。なお、以下に説明する部分を除き、携帯電話８１０及び表示装置８１６は、図２に示した移動端末１０２と同一の機能を有してよく、腕時計８１４は、図４に示した腕時計４０６と同一の機能を有してよい。
【００５２】
印刷媒体８０２には、宣伝広告等のための画像が印刷されており、当該画像に関連する画像データへのアクセス情報を保持するメモリが搭載されたＩＣタグチップ等の通信機器が埋め込まれている。例えば、印刷媒体８０２には、映画の代表的なシーンが印刷されており、印刷媒体８０２に埋め込まれたＩＣタグチップ等のメモリは、当該映画の画像データ又はホームページ等へのアクセス情報であるＵＲＬを保持している。また、印刷媒体８０２には、人体を介して通信を行う人体通信部８０４及び８０６が設けられており、人体通信部８０４は、印刷媒体８０２に埋め込まれたＩＣタグチップ等のメモリに格納されている画像データへのアクセス情報を送信する。また、印刷媒体８０２に埋め込まれたＩＣタグチップ等のメモリは、携帯電話８１０及び腕時計８１４が人体通信部８０４から受信して格納するアクセス情報をクリアさせるための設定情報を保持している。そして、人体通信部８０６は、ＩＣタグチップ等のメモリに格納されている設定情報を、携帯電話８１０又は腕時計８１４に送信することにより、携帯電話８１０又は腕時計８１４が格納するアクセス情報をクリアさせる。なお、例えば、携帯電話８１０又は腕時計８１４にアクセス情報を送信する人体通信部８０６にはアクセス情報が文字により記載されており、携帯電話８１０又は腕時計８１４が格納するアクセス情報をクリアさせる人体通信部８０６は白く塗りつぶされている等のように、人体通信部８０４と人体通信部８０６とは、ユーザ８０８が感覚的に判別できるように外観が異なることが好ましい。
【００５３】
以下、印刷媒体８０２に印刷された画像に関連する画像データを携帯電話８１０又は表示装置８１６が画像蓄積サーバ８２２から受信した表示するフローを説明する。まず、ユーザ８０８は、印刷媒体８０２を閲覧し、印刷媒体８０２に印刷された画像に関連する画像データの取得を希望する場合には、携帯電話８１０の人体通信部８１２を触れた状態で、印刷媒体８０２に設けられた人体通信部８０４に触れる。これにより、携帯電話８１０の機器識別情報取得部は、ユーザ８０８の人体を介し、人体通信部８１２を用いて印刷媒体８０２に埋め込まれたメモリに格納された画像データへのアクセス情報を印刷媒体８０２から取得する。そして、携帯電話８１０は、印刷媒体８０２から受信した画像データへのアクセス情報に基づいて、インターネット８２０等の通信網を介して画像蓄積サーバ８２２が格納する画像データにアクセスして、画像データを取得して表示する。
【００５４】
また他の例においては、ユーザ８０８は、腕時計８１４を装着した状態で、印刷媒体８０２に設けられた人体通信部８０４に触れると、腕時計８１４の機器識別情報取得部は、ユーザ８０８の人体を介し、人体通信部８１２を用いて印刷媒体８０２に埋め込まれたメモリに格納された画像データへのアクセス情報を印刷媒体８０２から取得する。なお、ユーザ８０８が、複数の印刷媒体８０２のそれぞれに設けられた複数の人体通信部８０４に順次触れた場合には、腕時計８１４の機器識別情報取得部は、複数の印刷媒体８０２にそれぞれ埋め込まれた複数のメモリに格納された画像データへのアクセス情報を印刷媒体８０２から順次取得する。そして、腕時計８１４は、印刷媒体８０２から受信した画像データへのアクセス情報を順次格納する。その後、ユーザ８０８は、腕時計８１４を装着した状態で、表示装置８１６の人体通信部８１８に触れると、表示装置８１６の機器識別情報取得部は、ユーザ８０８の人体を介し、人体通信部８１８を用いて腕時計８１４が格納する画像データへのアクセス情報を腕時計８１４から取得する。そして、表示装置８１６は、腕時計８１４から受信した画像データへのアクセス情報に基づいて、インターネット８２０等の通信網を介して画像蓄積サーバ８２２が格納する画像データにアクセスして、画像データを取得して表示する。なお、表示装置８１６は、腕時計８１４から複数の画像データへのアクセス情報を受信した場合には、複数の画像データへのアクセス情報に基づいて、画像蓄積サーバ８２２から複数の画像データを順次取得して表示してもよい。
【００５５】
本実施形態に係る通信システム８００によれば、ポスター等の印刷媒体８０２に記載されたＵＲＬ等を携帯電話やパーソナルコンピュータに入力する手間を省いて、印刷媒体８０２の画像に関連する画像データ等の情報を取得することができる。また、印刷媒体８０２を触れるだけで、印刷媒体８０２の画像に関連する画像データを取得することができるので、印刷された写真を選ぶ感覚で画像データを取得することができる。
【００５６】
図９は、本発明の第８実施形態に係る通信システム９００の構成の一例を示す。通信システム９００は、印刷媒体９０２及び９０４、デジタルカメラ９１２、プリンタ９１８、及びプリントサービスサーバ９２２を備える。なお、以下に説明する部分を除き、デジタルカメラ９１２は、図２に示した移動端末１０２と同一の機能を有してよく、プリンタ９１８は、図６に示したプリンタ６０６と同一の機能を有してよい。
【００５７】
印刷媒体９０２には、所定の印刷条件によって画像が印刷されており、当該画像の印刷条件を保持するメモリが搭載されたＩＣタグチップ等の通信機器が埋め込まれている。ここで印刷条件とは、例えばプリントサイズ、光沢又はマット等の表面性、写真モード又は通常モード等の印字方式である。また、印刷媒体９０２には、人体を介して通信を行う人体通信部９０６が設けられており、人体通信部９０６は、印刷媒体９０２に埋め込まれたＩＣタグチップ等のメモリに格納されている印刷条件を送信する。また、印刷媒体９０４には、複数の画像枠が設けられたアルバムのフォーマットが印刷されており、当該フォーマットの識別情報を保持するメモリが搭載されたＩＣタグチップ等の通信機器、及び複数の画像枠のそれぞれに対応づけられた位置に当該画像枠の識別情報を保持するメモリが搭載されたＩＣタグチップ等の通信機器が埋め込まれている。また、印刷媒体９０４には、人体を介して通信を行う人体通信部９０８及び９０９が設けられており、人体通信部９０８は、印刷媒体９０４に埋め込まれたＩＣタグチップ等のメモリに格納されているフォーマットの識別情報を送信し、人体通信部９０９は、画像枠毎に印刷媒体９０４に埋め込まれたＩＣタグチップ等のメモリに格納されている画像枠の識別情報を送信する。
【００５８】
以下、ユーザ９１０が所有するデジタルカメラ９１２に格納された画像データを、プリンタ９１８に送信して印刷させるフローを説明する。まず、ユーザ９１０は、デジタルカメラ９１２において、印刷すべき画像データを選択して表示させる。次に、ユーザ９１０は、印刷媒体９０２を閲覧し、所望に印刷条件により印刷されている印刷媒体９０２を選択し、デジタルカメラ９１２の人体通信部９１４を触れた状態で、印刷媒体９０２に設けられた人体通信部９０６に触れる。これにより、デジタルカメラ９１２の機器識別情報取得部は、ユーザ９１０の人体を介し、人体通信部９１４を用いて印刷媒体９０２に埋め込まれたメモリに格納された印刷条件を印刷媒体９０２から取得する。そして、デジタルカメラ９１２は、人体通信部９１４を介して機器識別情報取得部により取得した印刷条件を、表示している画像データの付帯情報として保存する。その後、デジタルカメラ９１２は、データ通信部９１６によってプリンタ９１８に接続された場合に、画像データとともに付帯情報として保存された印刷条件をプリンタ９１８に送信し、送信した印刷条件に基づいて画像データを印刷させる。
【００５９】
また、他の例においては、まず、ユーザ９１０は、アルバムのフォーマットが印刷された印刷媒体９０４を閲覧し、所望の画像枠を有するアルバムのフォーマットを選択する。そして、ユーザ９１０は、デジタルカメラ９１２の人体通信部９１４を触れた状態で、印刷媒体９０４に設けられた人体通信部９０８に触れる。これにより、デジタルカメラ９１２の機器識別情報取得部は、ユーザ９１０の人体を介し、人体通信部９１４を用いて印刷媒体９０４に埋め込まれたメモリに格納されたフォーマットの識別情報を印刷媒体９０４から取得する。次に、ユーザ９１０は、デジタルカメラ９１２において、印刷すべき画像データを選択して表示させ、デジタルカメラ９１２の人体通信部９１４を触れた状態で、印刷媒体９０４の画像枠毎に設けられた人体通信部９０９に触れる。これにより、デジタルカメラ９１２の機器識別情報取得部は、ユーザ９１０の人体を介し、人体通信部９１４を用いて印刷媒体９０４に埋め込まれたメモリに格納された画像枠の識別情報を印刷媒体９０４から取得する。そして、デジタルカメラ９１２は、人体通信部９１４を介して機器識別情報取得部により取得した画像枠の識別情報を、表示している画像データの付帯情報として保存する。同様に、順次画像データを表示させて画像枠毎に設けられた人体通信部９０９に触れることにより、複数の画像データのそれぞれの付帯情報として、選択された画像枠の識別情報を保存する。その後、デジタルカメラ９１２は、データ通信部９１６によってプリンタ９１８に接続された場合に、印刷媒体９０４から取得したフォーマットの識別情報と、複数の画像データとともに付帯情報として保存された複数の画像枠の識別情報をプリンタ９１８に送信し、ユーザ９１０によって選択された印刷媒体９０４と同様のアルバムのフォーマットの画像枠のそれぞれにデジタルカメラ９１２において選択された画像データをそれぞれ印刷させる。
【００６０】
また、他の例においては、デジタルカメラ９１２は、インターネット９２０等の通信網を介して接続されたプリントサービスサーバ９２２に画像データを送信して印刷させてもよい。この場合、印刷媒体９０２及び９０４に埋め込まれたＩＣタグチップ等のメモリは、プリントサービスサーバ９２２へのアクセス情報であるＵＲＬをさらに保持している。そして、デジタルカメラ９１２の機器識別情報取得部は、印刷条件又はフォーマットの識別情報とともに、プリントサービスサーバ９２２へのアクセス情報を印刷媒体９０２又は９０４から取得する。そして、デジタルカメラ９１２は、印刷媒体９０２又は９０４から取得したプリントサービスサーバ９２２へのアクセス情報に基づいて、プリントサービスサーバ９２２にアクセスして画像データを送信して印刷させる。
【００６１】
図１０は、人体通信部９０６近傍の印刷媒体９０２の構成の一例を示す。なお、人体通信部８０４及び８０６の近傍の印刷媒体９０２の構成、人体通信部９０８及び９０９の近傍の印刷媒体９０４の構成は、人体通信部９０６近傍の印刷媒体９０２の構成と同一であるので説明を省略する。
【００６２】
印刷媒体９０２は、インクを吸収するインク吸収層１００２と、印刷媒体９０２を支持する支持層１００４とを備える。人体通信部９０６は、インク吸収層１００２に導電化処理が施された導電化処理部１０００と、支持層１００４の内部に埋め込まれ、印刷条件を保持するＩＣタグチップ１００６とを有する。導電化処理部１０００とＩＣタグチップ１００６とは、電気的に接続され、導電化処理部１０００は、ＩＣタグチップ１００６から出力された印刷条件を示す信号を、導電化処理部１０００に触れたユーザの人体に出力する。
【００６３】
図１１は、本発明の第９実施形態に係る通信システム１１００の構成の一例を示す。通信システム１１００は、記録メディア１１０２、メディアドライブ１１０６、デジタルカメラ１１１６、及びパーソナルコンピュータ１１２２を備える。記録メディア１１０２は、本発明の通信機器の一例であり、例えばＤＶＤ等であり、メディアドライブ１１０６は、本発明の記録装置の一例である。なお、以下に説明する部分を除き、デジタルカメラ１１１６は、図２に示した移動端末１０２と同一の機能を有してよい。
【００６４】
記録メディア１１０２には、当該記録メディア１１０２の識別情報であるメディアＩＤを保持するメモリが搭載されたＩＣタグチップ等の通信機器が埋め込まれている。記録メディア１１０２は、人体を介して通信を行う人体通信部１１０４を備え、人体通信部１１０４は、記録メディア１１０２に埋め込まれたＩＣタグチップ等のメモリに格納されているメディアＩＤを送信する。また、パーソナルコンピュータ１１２２は、メディアドライブ１１０６の書き込み及び読み出しを制御する。
【００６５】
以下、ユーザ１１１４が所有するデジタルカメラ１１１６に格納された画像データを、ユーザ１１１４が選択した記録メディア１１０２に書き込ませるフローを説明する。まず、ユーザ１１１４は、デジタルカメラ１１１６において、記録メディア１１０２に書き込むべき画像データを選択して表示させる。次に、ユーザ１１１４は、複数の記録メディア１１０２から所望の記録メディア１１０２を選択し、デジタルカメラ１１１６の人体通信部１１１８を触れた状態で、記録メディア１１０２に設けられた人体通信部１１０４に触れる。デジタルカメラ１１１６の機器識別情報取得部は、ユーザ１１１４の人体がデジタルカメラ１１１６の人体通信部１１１８及び記録メディア１１０２の人体通信部１１０４に触れた場合に、ユーザ１１１４の人体を介し、人体通信部１１１８を用いて記録メディア１１０２に埋め込まれたメモリに格納されたメディアＩＤを記録メディア１１０２から取得する。そして、デジタルカメラ１１１６は、人体通信部１１１８を介して機器識別情報取得部により取得したメディアＩＤを、表示している画像データの付帯情報として保存する。その後、デジタルカメラ１１１６のデータ送信部は、データ通信部１１２０を介してデジタルカメラ１１１６と、画像データとともに付帯情報として保存されたメディアＩＤで識別される記録メディア１１０２が挿入されたメディアドライブ１１０６とが接続された場合に、当該画像データを記録メディア１１０２に格納させるべく、データ通信部１１２０を用いてメディアドライブ１１０６に画像データを送信する。例えば、パーソナルコンピュータ１１２２は、メディアドライブ１１０６に挿入された記録メディア１１０２からメディアＩＤを読み出し、当該メディアＩＤで識別される記録メディア１１０２に書き込むべき画像データをデジタルカメラ１１１６において検索する。そして、デジタルカメラ１１１６が、当該メディアＩＤに対応づけて画像データを格納している場合には、デジタルカメラ１１１６は、パーソナルコンピュータ１１２２によって検索された画像データを、パーソナルコンピュータ１１２２を介してメディアドライブ１１０６に送信して、当該メディアＩＤで識別される記録メディア１１０２に書き込ませる。
【００６６】
本実施形態に係る通信システム１１００によれば、デジタルカメラ１１１６において画像データを順番に閲覧しながら、画像データを記録する記録メディア１１０２を触れるだけで、画像データを選択した記録メディア１１０２に書き込むことができるので、デジタルカメラ１１１６によって撮像した画像データを簡単に仕分けすることができる。
【００６７】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００６８】
【図１】第１実施形態に係る通信システム１００の構成の一例を示す図である。
【図２】移動端末１０２の構成の一例を示す図である。
【図３】第２実施形態に係る通信システム３００の構成の一例を示す図である。
【図４】第３実施形態に係る通信システム４００の構成の一例を示す図である。
【図５】第４実施形態に係る通信システム５００の構成の一例を示す図である。
【図６】第５実施形態に係る通信システム６００の構成の一例を示す図である。
【図７】第６実施形態に係る通信システム７００の構成の一例を示す図である。
【図８】第７実施形態に係る通信システム８００の構成の一例を示す図である。
【図９】第８実施形態に係る通信システム９００の構成の一例を示す図である。
【図１０】人体通信部９０６近傍の印刷媒体９０２の構成の一例を示す図である。
【図１１】第９実施形態に係る通信システム１１００の構成の一例を示す図である。
【符号の説明】
【００６９】
１００    通信システム                  １０２    移動端末
１０４    移動端末                      １０６    表示装置
１０８    ユーザ                        ２００    人体通信部
２０２    機器識別情報取得部            ２０４    機器識別情報提供部
２０６    データ通信部                  ２０８    データ受信部
２１０    データ送信部                  ２１２    データ格納部
２１４    表示部                        ３００    通信システム
３０２    ルータ                        ３０４    インターネット
３０６    固定端末                      ３０８    固定端末
３１０    移動端末                      ３１２    ユーザ
４００    通信システム                  ４０２    ユーザ
４０４    腕時計                        ４０６    腕時計
４０８    ユーザ                        ４１０    携帯電話
４１２    人体通信部                    ４１４    デジタルカメラ
４１６    人体通信部                    ４１８    データ通信部
５００    通信システム                  ５０２    ユーザ
５０３    腕時計                        ５０４    ユーザ
５０６    携帯電話                      ５０８    人体通信部
５１０    デジタルカメラ                ５１２    人体通信部
５１４    データ通信部                  ５１６    インターネット
５１８    画像蓄積サーバ                ６００    通信システム
６０２    ユーザ                        ６０３    人体通信部
６０４    パーソナルコンピュータ        ６０６    プリンタ
６０８    人体通信部                    ６１０    デジタルカメラ
６１２    人体通信部                    ６１４    データ通信部
６１６    インターネット                ６１８    プリントサービスサーバ
７００    通信システム                  ７０２    インターネット
７０４    人体通信部                    ７０６    表示装置
７０８    人体通信部                    ７１０    ユーザ
７１２    携帯電話                      ７１４    人体通信部
７１６    携帯電話                      ７１８    人体通信部
７２０    ユーザ                        ８００    通信システム
８０２    印刷媒体                      ８０４    人体通信部
８０６    人体通信部                    ８０８    ユーザ
８１０    携帯電話                      ８１２    人体通信部
８１４    腕時計                        ８１６    表示装置
８１８    人体通信部                    ８２０    インターネット
８２２    画像蓄積サーバ                ９００    通信システム
９０２    印刷媒体                      ９０４    印刷媒体
９０６    人体通信部                    ９０８    人体通信部
９０９    人体通信部                    ９１０    ユーザ
９１２    デジタルカメラ                ９１４    人体通信部
９１６    データ通信部                  ９１８    プリンタ
９２０    インターネット                ９２２    プリントサービスサーバ
１０００  導電化処理部                  １００２  インク吸収層
１００４  支持層                        １００６  ＩＣタグチップ
１１００  通信システム                  １１０２  記録メディア
１１０４  人体通信部                    １１０６  メディアドライブ
１１１４  ユーザ                        １１１６  デジタルカメラ
１１１８  人体通信部                    １１２０  データ通信部
１１２２  パーソナルコンピュータ
【図１】
2004260800.tif 000003
【図２】
2004260800.tif 000004
【図３】
2004260800.tif 000005
【図４】
2004260800.tif 000006
【図５】
2004260800.tif 000007
【図６】
2004260800.tif 000008
【図７】
2004260800.tif 000009
【図８】
2004260800.tif 000010
【図９】
2004260800.tif 000011
【図１０】
2004260800.tif 000012
【図１１】
2004260800.tif 000013